(57)【特許請求の範囲】
【請求項１】
建物のドア開口部に枠体を取付け、該枠体内にパネル状のドア本体を開閉自在に納めてなるドアにおいて、
前記ドア本体下辺に沿ってドア下端緩衝部材が設けられ、
前記ドア下端緩衝部材は、前記ドア本体の下端面に固定される硬質の固定部と、該固定部の室外端部に設けられる軟質の室外緩衝部と、前記固定部の室内端部に設けられる軟質の室内緩衝部とを有し、
前記室外緩衝部は、前記ドア本体の下端面と室外側面とでなす室外角部を長手方向に沿って覆うように形成されて、前記ドア本体の下端面を覆う下端構成部と、前記ドア本体の室外側面を覆う室外構成部とを有してなり、前記室内緩衝部は、前記ドア本体の下端面と室内側面とでなす室内角部を長手方向に沿って覆うと共に、前記室外緩衝部より小さく形成され、
前記枠体の下辺には室外側に向かって面する気密材が長手方向に沿って設けられ、該気密材は、前記ドア下端緩衝部材よりも上方であって、前記ドア本体の室内側面に当接することを特徴とするドア。
【請求項２】
前記室外緩衝部は前記固定部の室外端面を覆い、前記室内緩衝部は前記固定部の室内端面を覆っていることを特徴とする請求項１記載のドア。
【請求項３】
前記室内緩衝部は、前記ドア本体の下端面を覆う下端構成部と、前記ドア本体の室内側面を覆う室内構成部とを有してなることを特徴とする請求項１または２記載のドア。
【請求項４】
前記固定部は金属材からなると共に、室外端部には室外被嵌合部を、室内端部には室内被嵌合部を、それぞれ備え、前記室外被嵌合部には前記室外緩衝部が、前記室内被嵌合部には前記室内緩衝部が、それぞれ嵌合されることを特徴とする請求項１〜３のいずれか１項に記載のドア。
【請求項５】
前記室外緩衝部は前記室外被嵌合部に対してスライド嵌合自在な硬質の室外嵌合部を有し、前記室内緩衝部は前記室内被嵌合部に対してスライド嵌合自在な硬質の室内嵌合部を有することを特徴とする請求項４記載のドア。
【請求項６】
前記固定部は硬質樹脂材からなり、前記室外緩衝部及び室内緩衝部は軟質樹脂材からなると共に、前記固定部と共押出成形され一体化されてなることを特徴とする請求項１〜３のいずれか１項に記載のドア。
【発明の詳細な説明】
【技術分野】
【０００１】
本発明は、建物開口部に設けられるドア本体の下辺に沿って設けられるドア下端緩衝部材を備えたドアに関し、特にドア本体下端の角部を覆ってこれを保護すると共に意匠性にも配慮したドア下端緩衝部材を備えたドアに関する。
【背景技術】
【０００２】
建物の玄関や部屋の入口に設置されるドアは、パネル状に形成されてなるドア本体からなり、このドア本体が開口部に対し開閉自在に取付けられる。ドア本体は、パネル状であるから、室内側面と下端面、及び室外側面と下端面のそれぞれに、下辺に沿う角部が形成される。
【０００３】
ドア本体の下端面と建物側の敷居面との間には若干の隙間があるため、ドア本体の開閉に伴って足や物などが挟まれないよう、ドア本体の下辺角部に沿って緩衝材が設けられる。ドア本体は、室内側から室外側に向かって開くため、緩衝材は、ドア本体下辺の角部のうち、室外側の角部に設けられる。
【０００４】
ドア本体の室内側においては、気密材を確保するため、室内側面の縁部が建物側に設けられる気密材に対して当接する構造が設けられる。従来のドアでは、ドア本体の下端面を建物の敷居面からやや高い位置に設定し、室外側端部には緩衝材を設け、室内側端部には室内側面が下方に垂下された当接面を設け、当接面で建物の室内側に設けられた気密材に対して当接するように構成していた。このようなドアとしては、例えば特許文献１に挙げるようなものがある。
【先行技術文献】
【特許文献】
【０００５】
【特許文献１】特許第４８１８２１７号公報
【発明の概要】
【発明が解決しようとする課題】
【０００６】
従来のドアの構造では、アルミ製の補助枠をドア本体の下端部に取付け、補助枠の室外端部の下面にゴムスポンジを取付け、補助枠の室内端部に前記当接面を形成している。このように、ドア本体下端の室外側の角部については緩衝材を設けているが、ドア本体の室内側については、気密材が当接するため、室内側の角部は金属材がそのまま露出していた。ドア本体の室内側についても、気密性能を確保しつつ緩衝材を設けることが求められていた。
【０００７】
また、従来のドアでは、気密材と当接する当接面の部分は、アルミの板１枚で室内外を隔てることとなるため、ドアの断熱性能を低下させるという問題があった。さらには、アルミ製の補助枠は室内外の端面がそれぞれ露出するため、ドア本体の色と合わず、意匠性を低下させるという問題もあった。
【０００８】
本発明は前記課題を鑑みてなされたものであり、ドアの気密性能を確保しつつドア本体下端の室内外角部をそれぞれ保護すると共に、断熱性能及び意匠性も向上させることのできるドア下端緩衝部材を備えるドアを提供することを目的とする。
【課題を解決するための手段】
【０００９】
前記課題を解決するため、本発明に係るドアは、建物のドア開口部に枠体を取付け、該枠体内にパネル状のドア本体を開閉自在に納めてなるドアにおいて、
前記ドア本体下辺に沿ってドア下端緩衝部材が設けられ、
前記ドア下端緩衝部材は、前記ドア本体の下端面に固定される硬質の固定部と、該固定部の室外端部に設けられる軟質の室外緩衝部と、前記固定部の室内端部に設けられる軟質の室内緩衝部とを有し、
前記室外緩衝部は、前記ドア本体の下端面と室外側面とでなす室外角部を長手方向に沿って覆うように形成されて、前記ドア本体の下端面を覆う下端構成部と、前記ドア本体の室外側面を覆う室外構成部とを有してなり、前記室内緩衝部は、前記ドア本体の下端面と室内側面とでなす室内角部を長手方向に沿って覆うと共に、前記室外緩衝部より小さく形成され、
前記枠体の下辺には室外側に向かって面する気密材が長手方向に沿って設けられ、該気密材は、前記ドア下端緩衝部材よりも上方であって、前記ドア本体の室内側面に当接することを特徴として構成されている。
【００１０】
また、本発明に係るドアは、前記室外緩衝部は前記固定部の室外端面を覆い、前記室内緩衝部は前記固定部の室内端面を覆っていることを特徴として構成されている。
【００１１】
さらに、本発明に係るドアは、前記室内緩衝部は、前記ドア本体の下端面を覆う下端構成部と、前記ドア本体の室内側面を覆う室内構成部とを有してなることを特徴として構成されている。
【００１２】
さらにまた、本発明に係るドアは、前記固定部は金属材からなると共に、室外端部には室外被嵌合部を、室内端部には室内被嵌合部を、それぞれ備え、前記室外被嵌合部には前記室外緩衝部が、前記室内被嵌合部には前記室内緩衝部が、それぞれ嵌合されることを特徴として構成されている。
【００１３】
そして、本発明に係るドアは、前記室外緩衝部は前記室外被嵌合部に対してスライド嵌合自在な硬質の室外嵌合部を有し、前記室内緩衝部は前記室内被嵌合部に対してスライド嵌合自在な硬質の室内嵌合部を有することを特徴として構成されている。
【００１４】
また、本発明に係るドアは、前記固定部は硬質樹脂材からなり、前記室外緩衝部及び室内緩衝部は軟質樹脂材からなると共に、前記固定部と共押出成形され一体化されてなることを特徴として構成されている。
【発明の効果】
【００１７】
本発明に係るドアによれば、固定部に室外緩衝部と室内緩衝部を設け、室外緩衝部は、ドア本体の下端面と室外側面とでなす室外角部を長手方向に沿って覆うように形成されて、ドア本体の下端面を覆う下端構成部と、ドア本体の室外側面を覆う室外構成部とを有してなり、室内緩衝部は、ドア本体の下端面と室内側面とでなす室内角部を長手方向に沿って覆うと共に、室外緩衝部より小さく形成されることにより、パネル状に形成されるドア本体の室外角部及びその近傍を長手方向に沿って保護すると共に、ドア本体の室内角部も長手方向に沿って保護して、ドア本体の開閉に伴い足や物が挟まれることを確実に防止することができ、かつ、下枠の気密材に室内緩衝部が干渉しないようにすることができるから、断熱性と共に気密性を十分に確保することができる。
【００１８】
また、本発明に係るドアによれば、室外緩衝部は固定部の室外端面を覆い、室内緩衝部は固定部の室内端面を覆っていることにより、固定部を室内外に露出させず、露出する部分は着色自在な軟質材の部分のみとなるから、軟質材をドア本体の色と合わせることで、意匠性の高いドアとすることができる。
【００１９】
さらに、本発明に係るドアによれば、室内緩衝部は、ドア本体の下端面を覆う下端構成部と、ドア本体の室内側面を覆う室内構成部とを有してなることにより、ドア本体の室内角部についても、両側の面が被覆されて、保護をより確実とすることができる。
【００２０】
さらにまた、本発明に係るドアによれば、固定部は金属材からなると共に、室外端部には室外被嵌合部を、室内端部には室内被嵌合部を、それぞれ備え、室外被嵌合部には室外緩衝部が、室内被嵌合部には室内緩衝部が、それぞれ嵌合されることにより、室外緩衝部及び室内緩衝部を嵌合構造により固定部に対し容易に取付けることができる。
【００２１】
そして、本発明に係るドアによれば、室外緩衝部は室外被嵌合部に対してスライド嵌合自在な硬質の室外嵌合部を有し、室内緩衝部は室内被嵌合部に対してスライド嵌合自在な硬質の室内嵌合部を有することにより、固定部をドア本体から取り外さなくても、室外緩衝部及び室内緩衝部を交換することができ、ドア本体を枠体から取り外す必要がないから、交換作業を容易にすることができる。
【００２２】
また、本発明に係るドアによれば、固定部は硬質樹脂材からなり、室外緩衝部及び室内緩衝部は軟質樹脂材からなると共に、固定部と共押出成形され一体化されてなることにより、全体を一体形成することができ、組み立て作業を容易にすることができる。
【図面の簡単な説明】
【００２３】
【図１】本実施形態におけるドアの正面図である。
【図２】ドアの縦断面図である。
【図３】ドアの横断面図である。
【図４】ドア下端緩衝部材の側面図である。
【図５】ドア下端緩衝部材を取付けたドア下辺の拡大断面図である。
【図６】第２の形態のドア下端緩衝部材の側面図である。
【図７】第２の形態のドア下端緩衝部材を取付けたドア下辺の拡大断面図である。
【図８】第３の形態のドア下端緩衝部材の側面図である。
【図９】第３の形態のドア下端緩衝部材を取付けたドア下辺の拡大断面図である。
【発明を実施するための形態】
【００２４】
本発明の実施形態について図面に沿って詳細に説明する。図１には、本実施形態におけるドアの正面図を示している。図１はドアの外観図を示している。本実施形態のドアは、建物のドア開口部に取付けられる枠体１内にパネル状のドア本体２を開閉自在に納めてなるものである。
【００２５】
枠体１は、上枠１０と下枠１１及び左右の縦枠１２、１２を方形状に枠組みして構成されている。ドア本体２は、一方の側部中央部に開閉を行うためのハンドル３を備え、さらにその上下部にはそれぞれ錠部４が配置される。ドア本体２の下辺は、下枠１１との間に若干の隙間が設けられると共に、その長手方向に沿ってドア下端緩衝部材３０が設けられる。
【００２６】
図２にはドアの縦断面図を、図３にはドアの横断面図を、それぞれ示している。図３において、ドア本体２の左側が吊り元側であり、ドア本体２の右側が戸先側である。ドア本体２の吊り元側には、枠体１に対して回動自在となる回動軸部２ａが設けられており、ドア本体２の戸先側縦辺には、戸先部材２４が設けられている。また、図２に示されているように、枠体１とドア本体２は、ドアクローザー５を介して連結されている。ドアクローザー５は、ドア本体２が閉じる際に抵抗力を発生し、ドア本体２が閉じるスピードを遅くすることができる。
【００２７】
ドア本体２は、パネル状に形成されているから、室外側面２０と室内側面２１、下端面２２及び上端面２３を有している。枠体１は、ドア本体２の室内側面２１の縁部に当接する気密材１３を、四周に渡って保持している。この気密材１３にドア本体２の室内側面２１が四周に渡って当接することにより、ドアの気密性が確保される。
【００２８】
ドア本体２の下端部には、室外側面２０と下端面２２により室外角部２５が、室内側面２１と下端面２２により室内角部２６が、それぞれ形成されている。これらの室外角部２５及び室内角部２６を覆うように、ドア下端緩衝部材３０が取付けられている。
【００２９】
図４には、ドア下端緩衝部材３０の側面図を示している。ドア下端緩衝部材３０は、ドア本体２の下端面２２に沿う形状を有した固定部３１と、固定部３１の室外端部に設けられる室外緩衝部３２と、固定部３１の室内端部に設けられる室内緩衝部３３とを有して構成されている。ドア下端緩衝部材３０を構成する固定部３１は、硬質の材料、具体的にはアルミの押出型材によって形成されている。一方、室外緩衝部３２と室内緩衝部３３は、固定部３１に対する固定部分以外は、軟質のゴムスポンジによって形成されている。
【００３０】
固定部３１の室外端部は、断面略Ｌ字状をなすように形成され、下面側と室外面側にそれぞれホルダ状の室外被嵌合部３１ａ、３１ａが形成されている。室外緩衝部３２は、固定部３１の室外端部のうち、下面側を覆う下端構成部３２ａと、室外面側を覆う室外構成部３２ｂとが略Ｌ字状をなし、下端構成部３２ａと室外構成部３２ｂのそれぞれに、固定部３１の室外被嵌合部３１ａ、３１ａと嵌合する室外嵌合部３２ｃ、３２ｃが形成されている。室外嵌合部３２ｃ、３２ｃは、硬質のゴム材料により構成されており、軟質の材料と一体的に成形されている。
【００３１】
固定部３１の室内端部は、ドア本体２の室内側面２１よりもやや室外側に端面を有すると共に、ホルダ状の室内被嵌合部３１ｂが形成されている。室内緩衝部３３は、固定部３１の室内端部のうち、下面側を覆う下端構成部３３ａと、固定部３１の室内端面を覆う室内構成部３３ｂとが略Ｌ字状をなし、下端構成部３３ａには固定部３１の室内被嵌合部３１ｂと嵌合する室内嵌合部３３ｃが形成されている。室内緩衝部３３のうち、室内被嵌合部３１ｂを含む下端構成部３３ａは、硬質のゴム材料により構成されており、軟質の室内構成部３３ｂと一体的に成形されている。
【００３２】
図５には、ドア下端緩衝部材３０を取付けたドア下辺の拡大断面図を示している。下枠１１は、ドア本体２の下端面２２と対向する内周面部１１ａと、ドア本体２より室内側に形成される段部１１ｂとを有しており、段部１１ｂには室外側に向かって面する気密材１３が保持される。
【００３３】
固定部３１は、ドア本体２の下端面２２に当接してネジ止め固定される。室外緩衝部３２は、下端構成部３２ａがドア本体２の下端面２２を覆い、室外構成部３２ｂがドア本体２の室外側面２０を覆うことで、ドア本体２の室外角部２５を長手方向に沿って覆っており、また、固定部３１の室外端面が外部に露出しないようにその全体を覆っている。
【００３４】
室内緩衝部３３は、室内構成部３３ｂが固定部３１の室内端面及びドア本体２の下端面２２室内端部を覆うことで、ドア本体２の室内角部２６を長手方向に沿って覆っている。室内緩衝部３３は、室外緩衝部３２よりも小さく形成されており、ドア本体２の室内側面２１までは伸びていない。これにより、ドア本体２の室内側面２１に凹凸が形成されず、下枠１１に保持されている気密材１３が確実にドア本体２の室内側面２１に当接し、気密性能を確保することができる。
【００３５】
固定部３１の室外被嵌合部３１ａと室内被嵌合部３１ｂは、いずれもホルダ状に形成され、室外緩衝部３２の室外嵌合部３２ｃは室外被嵌合部３１ａに対して嵌合自在な凸形状を長手方向に沿って有し、室内緩衝部３３の室内嵌合部３３ｃは室内被嵌合部３１ｂに対して嵌合自在な凸形状を長手方向に沿って有しているから、室外緩衝部３２と室内緩衝部３３は、固定部３１に対して長手方向にスライド嵌合させることができる。
【００３６】
これによって、金属材からなる固定部３１をドア本体２の下端面２２に固定しておけば、室外緩衝部３２と室内緩衝部３３については、ドア本体２を枠体１から取り外すことなく交換することが可能であるから、交換作業を容易にすることができる。
【００３７】
このように、ドア下端緩衝部材３０を、固定部３１に室外緩衝部３２と室内緩衝部３３を設けて構成し、室外緩衝部３２はドア本体２の下端面２２から室外側面２０にかけて室外角部２５を覆うと共に、室内緩衝部３３を室外緩衝部３２より小さく形成したことにより、パネル状に形成されるドア本体２の室外角部２５及びその近傍を長手方向に沿って保護すると共に、ドア本体２の室内角部２６も長手方向に沿って保護して、ドア本体２の開閉に伴い足や物が挟まれることを確実に防止することができ、かつ、下枠１１の気密材１３に室内緩衝部３３が干渉しないようにすることができて、断熱性と共に気密性を十分に確保することができる。
【００３８】
また、室外緩衝部３２と室内緩衝部３３は、固定部３１の室内外端面をそれぞれ覆っているので、金属材からなる固定部３１を室内外に露出させることがなく、露出する部分はゴムスポンジからなる軟質材の部分のみとなる。そして、軟質材には自由に着色することができるので、ドア本体２の色と合わせることができ、意匠性の高いドアとすることができる。
【００３９】
ドア下端緩衝部材３０の構成としては、図４に示すものには限られない。図６には、第２の形態のドア下端緩衝部材３０の側面図を示している。本形態のドア下端緩衝部材３０の構成は、第１の形態のドア下端緩衝部材３０の構成と概ね同じであるので、共通した部分についての説明は省略する。本形態のドア下端緩衝部材３０は、室内緩衝部３３の形状が異なっている。
【００４０】
図６のドア下端緩衝部材３０における室内緩衝部３３は、図４に示すものより室内構成部３３ｂが室内側に張り出し、この張り出した部分には、上方に突出する室内側面被覆部３３ｄが形成されている。
【００４１】
図７には、第２の形態のドア下端緩衝部材３０を取付けたドア下辺の拡大断面図を示している。この図に示すように、第２の形態のドア下端緩衝部材３０をドア本体２の下端部に取付けると、室内緩衝部３３の室内構成部３３ｂがドア本体２の室内角部２６のうち下端面２２側を被覆すると共に、室内側面被覆部３３ｄがドア本体２の室内側面２１を被覆し、これらによってドア本体２の室内角部２６を保護している。
【００４２】
このように、第２の形態のドア下端緩衝部材３０では、室内緩衝部３３に室内側面被覆部３３ｄを設けて、ドア本体２の室内角部２６において下端面２２側と室内側面２１側の両方を被覆するようにしたことにより、ドア本体２の室内角部２６の保護をより確実なものとすることができる。また、本形態においても、室内緩衝部３３は室外緩衝部３２よりも小さく形成され、室内側面被覆部３３ｄも小さいから、気密材１３の当接にはあまり影響を与えず、気密性能も確保することができる。
【００４３】
図８には、第３の形態のドア下端緩衝部材３０の側面図を示している。本形態のドア下端緩衝部材３０も、固定部３１と室外緩衝部３２及び室内緩衝部３３によって構成されている点は、第１及び第２の形態と同様である。一方で、本形態のドア下端緩衝部材３０は、固定部３１が硬質の樹脂材によって形成されており、室外緩衝部３２及び室内緩衝部３３は、軟質の樹脂材によって形成されている。これら硬質の樹脂材と軟質の樹脂材は、共押出成形によって、一体的に成形されている。
【００４４】
本形態でも、室外緩衝部３２はドア本体２の下端面２２から室外側面２０に渡るように形成されて、ドア本体２の室外角部２５を長手方向に沿って保護し、室内緩衝部３３もドア本体２の下端面２２から室内側面２１に渡るように形成されて、ドア本体２の室内角部２６を長手方向に沿って保護する。また、室内緩衝部３３は室外緩衝部３２よりも小さく形成されて、気密材１３がドア本体２の室内側面２１に対して確実に当接できるようにしている。これによって、第２の形態のドア下端緩衝部材３０と同様の効果を得ることができる。
【００４５】
第１〜第３の形態のドア下端緩衝部材３０は、ドアの施工時において最初から設けられていてもよいし、既存のドアに後付けで設けてもよい。特に、第１の形態または第２の形態のドア下端緩衝部材３０においては、ドア本体２の下端部に一旦、固定部３１を固定しておけば、室外緩衝部３２や室内緩衝部３３は後からでも固定部３１に対しスライド嵌合により取付けることができる。
【００４６】
以上、本発明の実施形態について説明したが、本発明の適用は本実施形態には限られず、その技術的思想の範囲内において様々に適用されうるものである。
【符号の説明】
【００４７】
１    枠体
２    ドア本体
１０    上枠
１１    下枠
１２    縦枠
１３    気密材
２０    室外側面
２１    室内側面
２２    下端面
２３    上端面
２４    戸先部材
２５    室外角部
２６    室内角部
３０    ドア下端緩衝部材
３１    固定部
３１ａ  室外被嵌合部
３１ｂ  室内被嵌合部
３２    室外緩衝部
３２ａ  下端構成部
３２ｂ  室外構成部
３２ｃ  室外嵌合部
３３    室内緩衝部
３３ａ  下端構成部
３３ｂ  室内構成部
３３ｃ  室内嵌合部
３３ｄ  室内側面被覆部
【図１】
0006010778.tif 000002
【図２】
0006010778.tif 000003
【図３】
0006010778.tif 000004
【図４】
0006010778.tif 000005
【図５】
0006010778.tif 000006
【図６】
0006010778.tif 000007
【図７】
0006010778.tif 000008
【図８】
0006010778.tif 000009
【図９】
0006010778.tif 000010